(57)【要約】      （修正有）【課題】便利に携帯し、収納し、使用することができる折りたたみ式除雪スコップを提供する。【解決手段】折りたたみ式除雪スコップは、スコップ体と、ハンドルとを備え、スコップ体とハンドルとの間に、スコップ体とハンドルとの連接のために使われる連接部品が設けられ、連接部品の一端に第一連接部が設けられ、且つ第一連接部がスコップ体の端部と継接され、他の一端に第二連接部が設けられ、且つ第二連接部がハンドルと継接され、連接部品にさらに第一連接部及び第二連接部をロックするためのロック部品が設けられる。これにより、除雪スコップの占用する空間が減らされ、携帯及び収納することが便利になり、同時にロック部品が設置されて作業状態で第一連接部及び第二連接部がロックされ、除雪スコップの折りたたみ機能が実現される。【選択図】図１
0003203259.tif 000002
【実用新案登録請求の範囲】
【請求項１】
スコップ体と、ハンドルとを備え、当該スコップ体と当該ハンドルとの間に当該スコップ体と当該ハンドルとの連接のために使われる連接部品が設けられ、当該連接部品の一端に第一連接部が設けられ、且つ当該第一連接部が当該スコップ体の端部と継接され、他の一端に第二連接部が設けられ、且つ当該第二連接部が当該ハンドルと継接され、当該連接部品にさらに当該第一連接部及び当該第二連接部をロックするために使われるロック部品が設けられる、ことを特徴とする折りたたみ式除雪スコップ。
【請求項２】
前記ロック部品はスリーブであり、当該スリーブが前記連接部品の一端に套設されて当該連接部品と螺接され、ロック状態で、当該スリーブが前記ハンドルと押し付けられる、ことを特徴とする請求項1に記載の折りたたみ式除雪スコップ。
【請求項３】
前記スコップ体の端部に設置座が設けられ、前記第一連接部が当該設置座によって当該スコップ体と継接され、且つ当該設置座の両側に前記ハンドルを固定するための槽が相対的に設けられる、ことを特徴とする請求項1に記載の折りたたみ式除雪スコップ。
【請求項４】
前記設置座及び前記スコップ体は分離式構造であり、底部にある第三設置部品と、当該第三設置部品に縦向きで相対的に設けられる第一設置部品と第二設置部品とを備え、当該スコップ体の端部に設置槽が開設され、当該第一設置部品及び当該第二設置部品が当該設置槽内に嵌められて、且つそれぞれに当該スコップ体の外に伸び出して下向きで傾斜する位置制限斜面に形成され、使用状態中に、当該位置制限斜面が前記連接部品と押し付けられ、前記第一連接部が当該第一設置部品と当該第二設置部品との間に設けられて、且つ当該第一設置部品及び当該第二設置部品によって当該スコップ体と継接される、ことを特徴とする請求項3に記載の折りたたみ式除雪スコップ。
【請求項５】
前記第三設置部品に設置孔が設けられて当該設置孔に穿設される締め付け部品によって前記スコップ体と連接され、当該スコップ体に当該設置孔と相対的に対応する強化条痕が設けられる、ことを特徴とする請求項3に記載の折りたたみ式除雪スコップ。
【請求項６】
前記スコップ体の作業面に上向きで突起するリブが設けられる、ことを特徴とする請求項1乃至5のいずれかに記載の折りたたみ式除雪スコップ。
【請求項７】
前記リブが三つで、且つ川字型で配置される、ことを特徴とする請求項6に記載の折りたたみ式除雪スコップ。
【請求項８】
前記スコップ体の前記作業面の端部に耐摩耗ベルトが設けられる、ことを特徴とする請求項1乃至5のいずれかに記載の折りたたみ式除雪スコップ。
【考案の詳細な説明】
【技術分野】
【０００１】
本考案は、除雪スコップを関し、特に折りたたみ式除雪スコップに関するものである。
【背景技術】
【０００２】
雪が降ることが寒い冬に欠けられない気象であり、雪景色がきれいであるが、積雪がある程度になると、生活や仕事にあらゆる不便は発生し、故に積雪を除くことが必要な作業になる。普通の生活に、道にある積雪が、通常に除雪車で清理され、庭や車庫の車道にある積雪が、普通に除雪スコップなどの工具で人力的に除かれる。
【０００３】
一般的に、除雪スコップはスコップの取っ手とさじ部を含み、且つ取っ手がさじ部と固定して連接され、例えば、中国実用新案ZL201120085212.6（公開番号CN201972131U）の《耐摩耗、便利に使う除雪スコップ》に一種の除雪スコップが公開され、該除雪スコップは除雪スコップ体と、取っ手、鋼帯を含み、除雪スコップ体が取っ手の一端に設けられ、除雪スコップ体の作業面の端部に鋼帯が設けられ、また、中国実用新案ZL01255187.2（公開番号CN2519816Y）の《除雪スコップ》、中国実用新案201220062457.1（公開番号CN202450714U）の《多機能人工除雪スコップ》の設計のようだ。該種類の除雪スコップの取っ手及びさじ部が固定して連接されることで、収納する時に占用する空間がより大きくて、携帯や収納する時に不便になる。
【先行技術文献】
【特許文献】
【０００４】
【特許文献１】中国実用新案公開Ｎｏ．ＣＮ２５１９８１６Ｙ公報
【特許文献２】中国実用新案公開Ｎｏ．ＣＮ２０２４５０７１４Ｕ公報
【考案の概要】
【考案が解決しようとする課題】
【０００５】
そこで、上記の問題点に対して、便利に携帯、収納、使用する折りたたみ式除雪スコップを提供することが本考案の課題となる。
【課題を解決するための手段】
【０００６】
前記問題点を解決でき、上記目的を達成するために、本考案の折りたたみ式除雪スコップは、スコップ体と、ハンドルとを備え、当該スコップ体と当該ハンドルとの間に当該スコップ体と当該ハンドルとの連接のために使われる連接部品が設けられ、当該連接部品の一端に第一連接部が設けられ、且つ当該第一連接部が当該スコップ体の端部と継接され、他の一端に第二連接部が設けられ、且つ当該第二連接部が当該ハンドルと継接され、当該連接部品にさらに当該第一連接部及び当該第二連接部をロックするために使われるロック部品が設けられることを特徴とする。
【０００７】
前記ロック部品の実現形式が多種類でもよくて、折りたたみ式除雪スコップの構造を簡単になり、且つ当該ロック部品で前記第一連接部及び前記第二連接部のロック及びアンロックすることを便利になるために、当該ロック部品はスリーブであり、当該スリーブが前記連接部品の一端に套設されて当該連接部品と螺接され、ロック状態で、当該スリーブが前記ハンドルと押し付けられることが好ましい。
【０００８】
前記スコップ体の端部に設置座が設けられ、前記第一連接部が当該設置座によって当該スコップ体と継接され、折りたたみの状態で前記ハンドルをよりよい位置決めを実現し、従って携帯及び運送することが便利にするために、当該設置座の両側に当該ハンドルを固定するための槽が相対的に設けられ、即ち折りたたみの状態で、当該ハンドルが当該設置座の両側にある槽内に入れ込まれる。
【０００９】
さらに、前記設置座及び前記スコップ体は分離式構造であり、底部にある第三設置部品と、当該第三設置部品に縦向きで相対的に設けられる第一設置部品と第二設置部品とを備え、当該スコップ体の端部に設置槽が開設され、当該第一設置部品及び当該第二設置部品が当該設置槽内に嵌められて、且つそれぞれに当該スコップ体の外に伸び出して下向きで傾斜する位置制限斜面に形成され、使用状態中に、当該位置制限斜面が前記連接部品と押し付けられ、前記第一連接部が当該第一設置部品と当該第二設置部品との間に設けられて、且つ当該第一設置部品及び当該第二設置部品によって当該スコップ体と継接され、こうして当該設置座によって前記第一連接部が当該スコップ体と継接される事だけではなく、且つ当該位置制限斜面が形成されて当該連接部品が位置制限され、当該連接部品が回転しすぎて使用上に影響になることが防止される。
【００１０】
さらに、前記第三設置部品に設置孔が設けられて当該設置孔に穿設される締め付け部品によって前記スコップ体と連接され、当該スコップ体に当該設置孔と相対的に対応する強化条痕が設けられ、当該締め付け部品と当該スコップ体との連接により、折りたたみ式除雪スコップの組み付け及び取り除けが便利になり、当該強化条痕によって前記設置座と当該スコップ体との取り付け及び連接が強くされ、長時間の作業で当該第三設置部品と当該スコップ体が緩むや当該第三設置部品の断裂で除雪スコップの使用期限を影響することが防止される。
【００１１】
前記第三設置部品に設置孔が設けられて当該設置孔に穿設される締め付け部品によって前記スコップ体と連接され、当該スコップ体に当該設置孔と相対的に対応する強化条痕が設けられることが好ましくて、さらに前記作業面の有効載荷面積が増加し、従って当該スコップ体により大きい重量を乗せるようになる。
【００１２】
さらに、前記リブが三つで、且つ川字型で配置されることが好ましくて、さらに前記作業面の有効載荷面積が増加することできるだけではなく、且つ乗せるものが前記スコップ体への圧力が有効に減り、内応力が分散され、除雪スコップの使用期限が増加する。
【００１３】
地面が凸凹である或いは硬いものがある場合に、除雪スコップの推進を影響しなく、且つ除雪スコップの使用期限が増加するために、前記スコップ体の前記作業面の端部に耐摩耗ベルトが設けられる。
【考案の効果】
【００１４】
本考案は、従来の技術と比べて、次に列挙する効果がある。
連接部品が第一連接部及び第二連接部でスコップ体とハンドルと継接され、こうして、使用しない時にハンドルが第二連接部と連接部品で折り畳まれ、そして折り畳まれたハンドル及び連接部品が第一連接部でスコップ体の上に折り畳まれ、除雪スコップの占用する空間が大量に減り、携帯及び収納することが便利になり、使う時にロック部品で第一連接部及び第二連接部がロックされ、普通の除雪スコップについての需要が満足されると共に、需要によってスコップ体とハンドルとの角度を調整することができ、スコップ体とハンドルとの角度がある角度（70°~90°）になり、雪掘りに使われる時に、除雪スコップの機能が多元化になり、使用上に便利である。
【図面の簡単な説明】
【００１５】
【図１】：本考案の実施例の折りたたみ式除雪スコップの構造を示す図
【図２】：図1の折りたたみ式除雪スコップの他の構造を示す図
【図３】：本考案の実施例の折りたたみ式除雪スコップの構造の分解図
【図４】：本考案の実施例の折りたたみ式除雪スコップの折り畳む状態の構造を示す図
【図５】：本考案の実施例のスコップ体及びハンドルが折り畳んだ折りたたみ式除雪スコップの構造を示す図
【考案を実施するための形態】
【００１６】
以下、本考案の実施の形態について、図面を参照して詳細に説明する。
【００１７】
図1乃至図5に示すように、本考案の折りたたみ式除雪スコップは、スコップ体1と、ハンドル2とを備え、当該スコップ体1の作業面11に三つの上向きに突起するリブ111が設けられ、且つ三つの当該リブ111が川字型で配置され、当該作業面11の有効載荷面積が増加することできるだけではなく、且つ乗せるものが当該スコップ体1への圧力が有効に減り、内応力が分散され、除雪スコップの使用期限が増加し、同時に当該スコップ体1の当該作業面11の端部（即ち当該スコップ体1前端の口縁部）に耐摩耗ベルト112が設けられ、本実施例に耐摩耗ベルト112は鋼帯であり、地面が凸凹である或いは硬いものがある場合に、除雪スコップの推進を影響しなく、さらに除雪スコップの使用期限が増加する。
【００１８】
除雪スコップの折り畳みを実現するために、前記スコップ体1と前記ハンドル2との間に当該スコップ体1と当該ハンドル2との連接のために使われる連接部品3が設けられ、当該連接部品3の一端に第一連接部31が設けられ、且つ当該第一連接部31が当該スコップ体1の端部と継接され、他の一端に当該第二連接部32が設けられ、且つ当該第二連接部32が当該ハンドル2と継接され、そして当該第一連接部31及び当該第二連接部32が除雪スコップを使う時に回して使用上に影響があることを防止するために、当該連接部品3にさらに当該第一連接部31及び当該第二連接部32をロックするために使われるロック部品が設けられ、本実施例に当該ロック部品はスリーブ34であり、当該スリーブ34が当該連接部品3の一端に套設されて当該連接部品3の外壁の外ねじ山33と螺接され、ロック状態で、当該スリーブ34が当該ハンドル2と押し付けられ、手で回してロック及びアンロックすることが実現され、当該スリーブ34の外周壁に滑り止め部341が設けられる。当該スコップ体1の端部に設置座4が設けられ、当該第一連接部31が当該設置座4にとって当該スコップ体1と継接され、折りたたみの状態で当該ハンドル2をよりよい位置決めを実現し、従って携帯及び運送することが便利にするために、当該設置座4の両側に当該ハンドル2固定するための槽12が相対的に設けられ、即ち折りたたみの状態で、当該ハンドル2が当該設置座4の両側にある当該槽12内に入れ込まれる。具体的に、本実施例に当該設置座4及び当該スコップ体1は分離式構造であり、底部にある第三設置部品43と、当該第三設置部品43に縦向きで相対的に設けられる第一設置部品41と第二設置部品42とを備える。当該スコップ体1の端部に設置槽13が開設され、当該第一設置部品41及び当該第二設置部品42が当該設置槽13内に嵌められて、且つそれぞれに外に伸び出して下向きで傾斜する位置制限斜面44に形成され、使用状態中に、当該位置制限斜面44が当該連接部品3と押し付けられる。当該第一連接部31が当該第一設置部品41と当該第二設置部品42との間に設けられて、且つ当該第一設置部品41及び当該第二設置部品42によって当該スコップ体1と継接され、こうして当該設置座4で当該第一連接部31が当該スコップ体1と継接され、且つ当該位置制限斜面44が形成されて当該連接部品3が位置制限され、当該連接部品3が回転しすぎて使用上に影響になることが防止される。さらに、当該第三設置部品43に四つの設置孔431が設けられ、当該第三設置部品43が当該設置孔431に穿設される締め付け部品によって当該スコップ体1と連接され、当該スコップ体1に当該設置孔431と相対的に対応する強化条痕113が設けられ、当該締め付け部品によって当該スコップ体1と連接され、折りたたみ式除雪スコップの組み付け及び取り除けが便利になり、当該強化条痕113によって当該設置座4と当該スコップ体1との取り付け及び連接が強くされ、長時間の作業で当該第三設置部品43と当該スコップ体1が緩むや当該第三設置部品43の断裂で除雪スコップの使用期限を影響することが防止され、本実施例に使われる締め付け部品が常規部品である。
【００１９】
使用中に、前記第一連接部31を前記第一設置部品41及び前記第二設置部品42に沿って引き上げ、カチャという音を聞くと前記連接部品3が前記位置制限斜面44と押し付けられ、当該第一連接部31が回転されて位置に着き、そして前記ハンドル2の角度を調整し、調整した後に前記スリーブ34を回して締めて当該スリーブ34を当該ハンドル2と押し付けるようにし、当該第一連接部31及び前記第二連接部32をロックすることが実現され、その時に除雪スコップが正常に使われる。実際に使う時に具体的な使用状況によって当該スコップ体1と当該ハンドル2との角度を調整することができ、図1の示すように、当該スコップ体1及び当該ハンドル2が直線のように接近する場合に、普通の除雪スコップとして使うことができ、図5の示すように、当該スコップ体1及び当該ハンドル2が垂直のように接近する場合に、雪掘りに使うことができ、こうして、積雪が深い或いは雪が積む時間長すぎて凍る時に、当該スコップ体1及び当該ハンドル2を図5の示す状態に調整して雪掘ることを行い、その後雪除きを行い、こうして雪除きの効率が有効に高まる。
【００２０】
収納する場合に、前記ハンドル2が前記第二連接部32と前記連接部品3で折り畳まれ、そして折り畳まれた当該ハンドル2及び当該連接部品3が前記第一連接部31で前記スコップ体1の前記作業面11のに折り畳まれ、且つ当該ハンドル2が前記槽12内に入れ込まれ、除雪スコップの折り畳まれて収納することが完成する。
【００２１】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２２】
1     スコップ体                 32   第二連接部
11    作業面                     33   外ねじ山
111   リブ                       34   スリーブ
112   耐摩耗ベルト               341  滑り止め部
113   強化条痕                   4    設置座
12    槽                         41   第一設置部品
13    設置槽                     42   第二設置部品
2     ハンドル                   43   第三設置部品
3     連接部品                   431  設置孔
31    第一連接部                 44   位置制限斜面
【図１】
0003203259.tif 000003
【図２】
0003203259.tif 000004
【図３】
0003203259.tif 000005
【図４】
0003203259.tif 000006
【図５】
0003203259.tif 000007
【手続補正書】
【提出日】平成28年1月6日(2016.1.6)
【手続補正１】
【補正対象書類名】実用新案登録請求の範囲
【補正対象項目名】全文
【補正方法】変更
【補正の内容】
【実用新案登録請求の範囲】
【請求項１】
スコップ体と、ハンドルとを備え、当該スコップ体と当該ハンドルとの間に当該スコップ体と当該ハンドルとの連接のために使われる連接部品が設けられ、当該連接部品の一端に第一連接部が設けられ、且つ当該第一連接部が当該スコップ体の端部と継接され、他の一端に第二連接部が設けられ、且つ当該第二連接部が当該ハンドルと継接され、当該連接部品にさらに当該第一連接部及び当該第二連接部をロックするために使われるロック部品が設けられる、ことを特徴とする折りたたみ式除雪スコップ。
【請求項２】
前記ロック部品はスリーブであり、当該スリーブが前記連接部品の一端に套設されて当該連接部品と螺接され、ロック状態で、当該スリーブが前記ハンドルと押し付けられる、ことを特徴とする請求項１に記載の折りたたみ式除雪スコップ。
【請求項３】
前記スコップ体の端部に設置座が設けられ、前記第一連接部が当該設置座によって当該スコップ体と継接され、且つ当該設置座の両側に前記ハンドルを固定するための槽が相対的に設けられる、ことを特徴とする請求項１に記載の折りたたみ式除雪スコップ。
【請求項４】
前記設置座及び前記スコップ体は分離式構造であり、底部にある第三設置部品と、当該第三設置部品に縦向きで相対的に設けられる第一設置部品と第二設置部品とを備え、当該スコップ体の端部に設置槽が開設され、当該第一設置部品及び当該第二設置部品が当該設置槽内に嵌められて、且つそれぞれに当該スコップ体の外に伸び出して下向きで傾斜する位置制限斜面に形成され、使用状態中に、当該位置制限斜面が前記連接部品と押し付けられ、前記第一連接部が当該第一設置部品と当該第二設置部品との間に設けられて、且つ当該第一設置部品及び当該第二設置部品によって当該スコップ体と継接される、ことを特徴とする請求項３に記載の折りたたみ式除雪スコップ。
【請求項５】
前記第三設置部品に設置孔が設けられて当該設置孔に穿設される締め付け部品によって前記スコップ体と連接され、当該スコップ体に当該設置孔と相対的に対応する強化条痕が設けられる、ことを特徴とする請求項４に記載の折りたたみ式除雪スコップ。
【請求項６】
前記スコップ体の作業面に上向きで突起するリブが設けられる、ことを特徴とする請求項１〜５に記載の折りたたみ式除雪スコップ。
【請求項７】
前記リブが三つで、且つ川字型で配置される、ことを特徴とする請求項６に記載の折りたたみ式除雪スコップ。
【請求項８】
前記スコップ体の前記作業面の端部に耐摩耗ベルトが設けられる、ことを特徴とする請求項６に記載の折りたたみ式除雪スコップ。
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
スコップ体と、ハンドルとを備え、当該スコップ体と当該ハンドルとの間に当該スコップ体と当該ハンドルとの連接のために使われる連接部品が設けられ、当該連接部品の一端に第一連接部が設けられ、且つ当該第一連接部が当該スコップ体の端部と継接され、他の一端に第二連接部が設けられ、且つ当該第二連接部が当該ハンドルと継接され、当該連接部品にさらに当該第一連接部及び当該第二連接部をロックするために使われるロック部品が設けられる、ことを特徴とする折りたたみ式除雪スコップ。
【請求項２】
前記ロック部品はスリーブであり、当該スリーブが前記連接部品の一端に套設されて当該連接部品と螺接され、ロック状態で、当該スリーブが前記ハンドルと押し付けられる、ことを特徴とする請求項１に記載の折りたたみ式除雪スコップ。
【請求項３】
前記スコップ体の端部に設置座が設けられ、前記第一連接部が当該設置座によって当該スコップ体と継接され、且つ当該設置座の両側に前記ハンドルを固定するための槽が相対的に設けられる、ことを特徴とする請求項１に記載の折りたたみ式除雪スコップ。
【請求項４】
前記設置座及び前記スコップ体は分離式構造であり、底部にある第三設置部品と、当該第三設置部品に縦向きで相対的に設けられる第一設置部品と第二設置部品とを備え、当該スコップ体の端部に設置槽が開設され、当該第一設置部品及び当該第二設置部品が当該設置槽内に嵌められて、且つそれぞれに当該スコップ体の外に伸び出して下向きで傾斜する位置制限斜面に形成され、使用状態中に、当該位置制限斜面が前記連接部品と押し付けられ、前記第一連接部が当該第一設置部品と当該第二設置部品との間に設けられて、且つ当該第一設置部品及び当該第二設置部品によって当該スコップ体と継接される、ことを特徴とする請求項３に記載の折りたたみ式除雪スコップ。
【請求項５】
前記第三設置部品に設置孔が設けられて当該設置孔に穿設される締め付け部品によって前記スコップ体と連接され、当該スコップ体に当該設置孔と相対的に対応する強化条痕が設けられる、ことを特徴とする請求項４に記載の折りたたみ式除雪スコップ。
【請求項６】
前記スコップ体の作業面に上向きで突起するリブが設けられる、ことを特徴とする請求項１乃至５のいずれかに記載の折りたたみ式除雪スコップ。
【請求項７】
前記リブが三つで、且つ川字型で配置される、ことを特徴とする請求項６に記載の折り
たたみ式除雪スコップ。
【請求項８】
前記スコップ体の前記作業面の端部に耐摩耗ベルトが設けられる、ことを特徴とする請求項６に記載の折りたたみ式除雪スコップ。